(57)【要約】【課題】第１基板ケースに第２基板ケースを取付けた際に、前後方向の奥行き寸法の増大を抑制すると共に、第２基板ケースを取外すことなく第１基板ケース内を視認し得る遊技機を提供する。【解決手段】第１基板ケース２０の下面２６ａに、第２基板ケース４１を挟む左右移動規制部２９,３０と、右移動規制部２９から左移動規制部３０側に突出する前後移動規制部３１と、右移動規制部２９の端部から左移動規制部３０側に突出する下移動規制部３２と、係合孔３３とからなる第１係合手段を設ける。第２基板ケース４１に、前後移動規制部３１および下移動規制部３２に係合する第１および第２突出片４５,４６と、係合孔３３に係合する係合フック４７とからなる第２係合手段を設ける。第１および第２係合手段を係合することで、第２基板ケース４１は、その上面を第１基板ケース２０の下面２６ａに当接した状態で取付けられる。【選択図】図２
2006043201.tif 000002
【特許請求の範囲】
【請求項１】
機本体の裏側に設けた取付部に、裏面を対向させて第１基板ケースを取付け、この第１基板ケースに形成した第１係合手段と、第２基板ケースに形成した第２係合手段とを係脱自在に係合させることで、該第１基板ケースに第２基板ケースを取付けるよう構成される遊技機において、
前記第１係合手段は、
前記第１基板ケースにおける裏面と交差する側面に前記第２基板ケースを挟むよう形成され、該側面の長手方向への第２基板ケースの移動を規制する一対の第１規制部と、
前記第１規制部の一方に形成され、他方の第１規制部側に突出する第２規制部と、
前記一方の第１規制部における前記第１基板ケースの側面から離間する端部に形成され、他方の第１規制部側に突出する第３規制部と、
前記第１基板ケースの所要位置に形成される係合孔とからなり、
前記第２係合手段は、
前記第２基板ケースの一側面に形成されて前記第１基板ケースの第２および第３規制部と係合可能で、該第２規制部との係合により前記機本体から離間する方向への第２基板ケースの移動を規制すると共に、前記第３規制部との係合により前記第１基板ケースから離間する方向への第２基板ケースの移動を規制する第４規制部と、
前記第２基板ケースに弾性変形可能に形成され、前記係合孔に係脱自在に係合し得る係合フックとからなり、
前記第２基板ケースを前記一対の第１規制部の間に臨ませたもとで前記第２および第３規制部と第４規制部とを係合すると共に、前記係合孔と係合フックとを係合することにより、該第２基板ケースの他側面を第１基板ケースの側面に当接した状態で取付けるよう構成した
ことを特徴とする遊技機。
【請求項２】
前記係合孔は、前記他方の第１規制部に形成されると共に、前記係合フックは、前記第２基板ケースにおける前記第４規制部を形成した側部とは反対の側部に形成される請求項１記載の遊技機。
【請求項３】
前記第１基板ケースは、前記第１係合手段と第２係合手段とを係合した際に、前記第２基板ケースに当接して該第２基板ケースが前記機本体から離間する方向へ移動するのを規制する第５規制部を備えている請求項１または２記載の遊技機。
【請求項４】
前記第１基板ケースは、カバー体とベース体とから構成され、該カバー体とベース体とを固定する固定手段に前記第５規制部が形成されている請求項３記載の遊技機。
【請求項５】
前記第１基板ケースまたは第２基板ケースは、前記第１係合手段と第２係合手段とを係合した際に、前記第２基板ケースが前記機本体側へ移動するのを規制する第６規制部を備えている請求項１〜４の何れかに記載の遊技機。
【請求項６】
前記第１基板ケースの下面に前記第２基板ケースを取付けるよう構成した請求項１〜５の何れかに記載の遊技機。
【発明の詳細な説明】
【技術分野】
【０００１】
本発明は、遊技機に関し、更に詳細には、機裏側に設けた取付部に第１基板ケースを取付けて、この第１基板ケースに第２基板ケースを取付けるようにした遊技機に関するものである。
【背景技術】
【０００２】
パチンコ機やアレンジボール機に代表されるこの種の遊技機では、外郭をなす外枠に開閉および着脱可能に組付けられる中枠の各部に、前枠およびガラス扉、上球皿および下球皿、球送り・発射装置、各種の球処理部等を有する機構セット盤、電飾表示部材等が夫々組付けセットされている。そしてこのような基本構成にあって、前記中枠に遊技盤が前側または裏側から着脱交換可能にセットされる。また、前記遊技盤には、入賞具や通入具の他に、図柄を可変表示させて遊技演出を行なう図柄表示装置や開閉部材を開閉させて内部に取り込んだ遊技球で遊技演出を行なうよう構成した所謂センター役物等の遊技演出装置、電動式入賞装置、スイッチ付き入賞具、遊技表示具、ランプ類等が適宜配置されている。一方、前記パチンコ機の裏側には、主制御基板、払出制御基板、ランプ制御基板等の各種制御基板が配設されており、対応する部材を制御するよう構成されている。なお、前記各制御基板は、所要の基板ケースに収容される。
【０００３】
このように、パチンコ機には多数の部材が配設されており、各部材を効率的に配置する必要がある。そこで、所要の制御基板を収容した第１基板ケースの前面に、別の制御基板を収容した第２基板ケースを重ね合わせるよう配設する構成が提案されている(例えば、特許文献１参照)。この特許文献１では、前記図柄表示装置および該図柄表示装置の制御基板を収容した第１基板ケースの前側に、前記主制御基板と各制御基板との間の電気的接続を取りまとめる中継基板を収容した第２基板ケースを取付けるよう構成されており、該第１基板ケースの前面側に形成した孔部に、第２基板ケースの係合フックを係合することで、該第２基板ケースを第１基板ケースに対し着脱自在に配設している。
【特許文献１】登録実用新案第３０５８７６５号公報
【発明の開示】
【発明が解決しようとする課題】
【０００４】
しかしながら、パチンコ機を遊技場(所謂ホール)に設置するに際しては、各パチンコ機の裏側を夫々対向する状態で設置台に取付けるため、パチンコ機の裏側に突出し得る大きさは限られている。ここで、前述のように、前記第１基板ケースと第２基板ケースとを単に重ね合わせるよう配置した場合には、該第２基板ケースがパチンコ機の後方に大きく突出する。従って、パチンコ機の前後方向の奥行き寸法の増大を招き、対向配置したパチンコ機と干渉する畏れがある。また、前記特許文献１に記載されるように、前記第１基板ケースと第２基板ケースとを重ね合わせるよう構成すると、該第２基板ケースが重なる範囲では第１基板ケースに収容した制御基板を外部から視認し得なくなる。このため、前記第１基板ケース内の制御基板を確認する場合には、その都度第２基板ケースを第１基板ケースから取外さなければならず、作業が煩雑になる欠点がある。
そこで、本発明は、第１基板ケースに第２基板ケースを取付けた際に、前後方向の奥行き寸法の増大を抑制すると共に、該第２基板ケースを取外すことなく第１基板ケース内を視認し得る遊技機を提供することを目的とする。
【課題を解決するための手段】
【０００５】
前記課題を克服し、所期の目的を達成するため、本発明に係る遊技機は、
機本体の裏側に設けた取付部に、裏面(20a)を対向させて第１基板ケース(20)を取付け、この第１基板ケース(20)に形成した第１係合手段(28)と、第２基板ケース(41)に形成した第２係合手段(44)とを係脱自在に係合させることで、該第１基板ケース(20)に第２基板ケース(41)を取付けるよう構成される遊技機において、
前記第１係合手段(28)は、
前記第１基板ケース(20)における裏面(20a)と交差する側面(26a)に前記第２基板ケース(41)を挟むよう形成され、該側面(26a)の長手方向への第２基板ケース(41)の移動を規制する一対の第１規制部(29,30)と、
前記第１規制部(29)の一方に形成され、他方の第１規制部(30)側に突出する第２規制部(31)と、
前記一方の第１規制部(29)における前記第１基板ケース(20)の側面(26a)から離間する端部に形成され、他方の第１規制部(30)側に突出する第３規制部(32)と、
前記第１基板ケース(20)の所要位置に形成される係合孔(33)とからなり、
前記第２係合手段(44)は、
前記第２基板ケース(41)の一側面(41a)に形成されて前記第１基板ケース(20)の第２および第３規制部(31,32)と係合可能で、該第２規制部(31)との係合により前記機本体から離間する方向への第２基板ケース(41)の移動を規制すると共に、前記第３規制部(32)との係合により前記第１基板ケース(20)から離間する方向への第２基板ケース(41)の移動を規制する第４規制部(45,46)と、
前記第２基板ケース(41)に弾性変形可能に形成され、前記係合孔(33)に係脱自在に係合し得る係合フック(47)とからなり、
前記第２基板ケース(41)を前記一対の第１規制部(29,30)の間に臨ませたもとで前記第２および第３規制部(32)と第４規制部(45,46)とを係合すると共に、前記係合孔(33)と係合フック(47)とを係合することにより、該第２基板ケース(41)の他側面(41c)を第１基板ケース(20)の側面(26a)に当接した状態で取付けるよう構成したことを特徴とする。
【０００６】
また、前記係合孔(33)を、前記他方の第１規制部(30)に形成すると共に、前記係合フック(47)を、前記第２基板ケース(41)における前記第４規制部(45,46)を形成した一側面(41a)とは反対の側面(41b)に形成するようにしてもよい。
【０００７】
更に、前記第１基板ケース(20)は、前記第１係合手段(28)と第２係合手段(44)とを係合した際に、前記第２基板ケース(41)に当接して該第２基板ケース(41)が前記機本体から離間する方向へ移動するのを規制する第５規制部(27)を備えるよう構成することもできる。
【０００８】
更にまた、前記第１基板ケース(20)を、カバー体(21)とベース体(26)とから構成し、該カバー体(21)とベース体(26)とを固定する固定手段(24)に前記第５規制部(27)を形成するようにしてもよい。
【０００９】
そして、前記第１基板ケース(20)または第２基板ケース(41)は、前記第１係合手段(28)と第２係合手段(44)とを係合した際に、前記第２基板ケース(41)が前記機本体側へ移動するのを規制する第６規制部(60)を備えている。
【００１０】
また、前記第１基板ケース(20)の下面(26a)に前記第２基板ケース(41)を取付けるよう構成する。
【発明の効果】
【００１１】
本発明の請求項１に係る遊技機によれば、第２基板ケースを第１基板ケースの側面に取付けるようにしたことで、遊技機裏側への第２基板ケースの突出量を抑制し得る。すなわち、対向配置した遊技機に第２基板ケースが干渉するのを防止し得る。そして、第１基板ケースと第２基板ケースとが前後に重なり合わないから、該第２基板ケースを取外すことなく第１基板ケース内を視認することができ、メンテナンス作業等の作業性が向上する。
【００１２】
また、第１基板ケースの第１係合手段と第２基板ケースの第２係合手段とを係合させた際に、該第１基板ケースにおける一対の第１規制部の間に第２基板ケースが臨むようにしたから、当該第２基板ケースが第１基板ケースの側面に沿う方向へ移動するのは規制される。更に、前記第１基板ケースの第２規制部と第２基板ケースの第４規制部とが係合することで、該第２基板ケースが取付部から離間する方向へ移動するは規制される。更にまた、第１基板ケースの第３規制部と第２基板ケースの第４規制部とが係合すると共に、該第２基板ケースが第１基板ケースの側面に当接するよう構成したことで、当該第１基板ケースに対して第２基板ケースの近接する方向および離間する方向への移動を規制し得る。そして、前記第１基板ケースの第２規制部と第２基板ケースの第４規制部とが係合して、該第２基板ケースを所定位置に保持するようにしたから、第２基板ケースを第１基板ケースの側面に確実に取付けることができる。また、前記係合フックを弾性変形させることで、前記係合孔との係合を解除し得るから、第２基板ケースを簡単に第１基板ケースに着脱することが可能となる。
【００１３】
そして、請求項２に係る遊技機によれば、前記係合孔を、第１基板ケースにおける前記第２および第３規制部の形成側とは反対側に形成すると共に、前記係合フックを前記第２基板ケースにおける第４規制部の形成側とは反対側に形成することで、該係合孔と係合フックを係合した際に、第２基板ケースを第１基板ケースに安定して取付け得る。
【００１４】
また、請求項３に係る遊技機によれば、前記第１基板ケースに形成した第６規制部により、前記第１係合手段と第２係合手段とを係合した際に、前記第２基板ケースが取付部から離間する方向へ移動するのをより確実に規制することができる。
【００１５】
更に、請求項４に係る遊技機によれば、前記第１基板ケースにおけるベース部とカバー部とを固定する固定手段に前記第６規制部を設けたことで、該第６規制部を新たに別部材として設ける必要がなく、遊技機の製造コストを抑制し得る利点がある。
【００１６】
また、請求項５に係る遊技機によれば、前記第１基板ケースまたは第２基板ケースに形成した第５規制部により、前記第１係合手段と第２係合手段とを係合した際に、前記第２基板ケースが取付部側へ移動するのをより確実に規制し得る。
【００１７】
更に、請求項６に係る遊技機によれば、第１基板ケースの下面に第２基板ケースを取付けることで、球タンク等から落下した遊技球が第２基板ケースに衝突するのを抑制し得る。
【発明を実施するための最良の形態】
【００１８】
次に、本発明に係る遊技機につき、好適な実施例を挙げて、添付図面を参照しながら、以下詳細に説明する。なお実施例では、遊技機として、パチンコ球を遊技媒体として使用する一般的なパチンコ機を例にして説明する。
【実施例】
【００１９】
図１に示すように、実施例のパチンコ機１０は、外郭をなす外枠１１に、遊技盤を着脱交換可能に配設した中枠１２を、図示しない連結支持手段および施錠手段等を利用して着脱および開閉可能に組付けてある。そして、この中枠１２の前側に、前記遊技盤を透視保護するガラス板を組付けた前枠や、パチンコ球を貯留する上下の球皿、その他打球発射装置等(何れも図示せず)が組付けられると共に、該中枠１２の裏側に機構セット盤１３が配設されている。また、パチンコ機１０の側方には、貸球の払い出し制御に必要とされる球貸ユニット１６を隣接設置してある。ここで、実施例において、パチンコ機本体(機本体)という場合には、各種部品の組付けベースとして機能する前記外枠１１に、前記中枠１２や前枠、機構セット盤１３を組付けた状態を云うものとする。なお、以下の説明において、左・右とは、特に断りのない限り、図１に示すようにパチンコ機１０を裏側から見た状態において指称するものとする。
【００２０】
また、前記機構セット盤１３には、遊技盤点検用の窓口１３ａが開口されて、この窓口１３ａの外周囲部に、パチンコ球を貯留する球タンク１４ａ等を備えた球貯留供給部１４が設けられている。そして、球貯留供給部１４の下端部に、カセット形態とされる電動制御式の球払出装置１５が設置される一方、この球払出装置１５の下方に賞球または貸球を前記上下の球皿へ排出する球排出経路(図示せず)が形成されている。なお、前記機構セット盤１３における前記球払出装置１５の下方位置に、該球払出装置１５を制御する払出制御装置１８を着脱自在に取付可能な取付部(図示せず)を設けてある。また、前記払出制御装置１８の下方に、前記球貸ユニット１６と球払出装置１５とを接続する中継基板としてのインターフェイス基板４０を配置してある(図２参照)。
【００２１】
図３または図４に示すように、前記払出制御装置１８は、各種電子部品を実装した払出制御基板１９と、該払出制御基板１９を収容保持する略矩形箱状の第１基板ケース２０とから基本的に構成される。ここで、前記第１基板ケース２０は、前記払出制御基板１９の実装面側を保護する第１カバー体(カバー体)２１と、該払出制御基板１９の裏面側を保護する第１ベース体(ベース体)２６とから形成され、該第１カバー体２１と第１ベース体２６とを組付けることで、払出制御基板１９を所定位置で保持し得るようになっている。ここで、前記第１ベース体２６の下面(側面)２６ａには、左右方向の略全長に亘って下方に延出する第１フランジ部(第６規制部)２７が形成されて、該第１フランジ部２７に形成した第１固定部(固定手段)２７ａと、前記第１カバー体２１の下面２１ａに形成した第２固定部(固定手段)２４とをネジ止めすることで、第１カバー体２１と第１ベース体２６とを分離不能に組付けるようになっている。
【００２２】
また、前記第１ベース体２６の右面２６ｂには、右方向に突出する突起部２２,２２が形成され、該第１ベース体２６の左面２６ｃには、前後に貫通する固定孔２３ａ,２３ａを穿設した支持部２３,２３が左方向に突出するよう形成されている。すなわち、前記突起部２２,２２および固定孔２３ａ,２３ａを介して、前記第１基板ケース２０の裏面２０ａ(すなわち第１ベース体２６)を前記取付部に対向させた状態で、該第１基板ケース２０が取付けられるようになっている。なお、前記第１カバー体２１の上方位置には、前記払出制御基板１９に設けたコネクタ受部１９ａをケース外部に臨ませる開口部２１ｂが形成され、該開口部２１ｂから第１基板ケース２０の外側に露出したコネクタ受部１９ａに、前記球払出装置１５やインターフェイス基板４０等に接続した配線のコネクタ(図示せず)が接続されている。
【００２３】
図３および図４に示すように、前記第１ベース体２６(第１基板ケース２０)の下面２６ａには、前記インターフェイス基板４０を保持した第２基板ケース４１(後述)を取付ける第１係合手段２８が形成される。前記第１係合手段２８は、前記第２基板ケース４１の左右方向への移動を規制する左右移動規制部(第１規制部)２９,３０と、該第２基板ケース４１の前後方向への移動を規制する前後移動規制部(第２規制部)３１と、第２基板ケース４１の下方向への移動を規制する下移動規制部(第３規制部)３２と、該左移動規制部３０に開設される係合孔３３とから構成され、これら各部２９,３０,３１,３２,３３により第２基板ケース４１の移動を規制して所定位置に保持するようになっている。
【００２４】
ここで、前記右移動規制部２９は、前記第１ベース体２６の下面２６ａにおける右端部から下方に延出するよう形成されると共に、前記左移動規制部３０は、該第１ベース体２６の下面２６ａの左端部から下方に延出するよう形成され、該左右移動規制部２９,３０の離間距離を前記第２基板ケース４１の左右方向の幅寸法(第２基板ケース４１の右側面４１ａから後述する係合フック４７の爪部４９までの距離寸法)に略合致するよう設定される。すなわち、前記第２基板ケース４１が左右移動規制部２９,３０の間に位置することで、該第２基板ケース４１の左右方向への移動を規制するようになっている。そして、前記右移動規制部２９の前後方向の略中央位置に、上下方向に延在して前記左移動規制部３０側に突出するように前記前後移動規制部３１が形成されると共に、該右移動規制部２９の下端部(第１基板ケース２０の下面２６ａから離間する端部)に、左移動規制部３０側に突出するように前記下移動規制部３２が形成されている。
【００２５】
また、前記インターフェイス基板４０を保持する前記第２基板ケース４１は、図５〜図７に示すように、該インターフェイス基板４０の実装面側を保護する第２カバー体４２と、略平板状に形成されてインターフェイス基板４０の裏面側を保護する第２ベース体４３とから形成されている。そして、前記第２基板ケース４１に形成した第２係合手段４４を、前記第１基板ケース２０に形成した第１係合手段２８と係脱自在に係合させることで、第１ベース体２６(第１基板ケース２０)の下面２６ａに第２基板ケース４１が取付けられるようになっている。なお、前記第２カバー体４２には、前記インターフェイス基板４０に設けた各種コネクタ受部４０ａをケース外部に臨ませる開口部４２ａを開設してある。
【００２６】
前記第２係合手段４４は、図５または図６に示すように、前記第２基板ケース４１の右側面(第２基板ケース４１の一側面)４１ａから右方向に向けて突出するよう形成された第１および第２突出片(第４規制部)４５,４６と、当該第２基板ケース４１の左側面(一側面とは反対の側面)４１ｂに弾性変形可能に形成される係合フック４７とから構成される。また、前記第１突出片４５は、前記右側面４１ａの上下方向の略中央位置から下方に向けて延在すると共に、前記第２突出片４６は、該第１突出片４５より第２ベース体４３側に位置し、該第２基板ケース４１における右側面４１ａの上端縁から略中央位置まで延在して、両突出片４５,４６が略平行となるよう形成されている。
【００２７】
ここで、前記第１突出片４５と第２突出片４６との間の離間寸法は、前記第１基板ケース２０に形成した前記前後移動規制部３１の前後の厚み寸法と略同等に形成されており、該第１および第２突出片４５,４６の間に前後移動規制部３１を位置させることで、前記第２基板ケース４１の右側部がパチンコ機本体に近接する方向および、該パチンコ機本体から離間する方向へ移動するのを規制するようになっている。更に、前記第１および第２突出片４５,４６の間に前記前後移動規制部３１を臨ませて、前記第２基板ケース４１の上面(第２基板ケース４１の他側面)４１ｃを第１基板ケース２０(第１ベース体２６)の下面２６ａに当接させた際に、該第１突出片４５の下端部が、第１基板ケース２０に形成した前記上下移動規制部３２に当接して、該第２基板ケース４１の下方移動を規制するよう構成されている。
【００２８】
また、前記係合フック４７は、前記第２基板ケース４１の左側面４１ｂの上端縁に連接する弾性変形可能な操作片４８に、左方向に突出するよう爪部４９を形成して構成される。そして、前記第１および第２突出片４５,４６の間に前後移動規制部３１を臨ませた状態で、前記第２基板ケース４１の上面４１ｃを第１基板ケース２０の下面２６ａに当接するに際し、前記爪部４９が、前記第１基板ケース２０に形成した前記左移動規制部３０の下端部に当接するようになっている。すなわち、前記左移動規制部３０の下端部に前記爪部４９が当接した状態で、前記第１基板ケース２０の下面２６ａに第２基板ケース４１の上面４１ｃが当接するよう第２基板ケース４１を更に移動させることで、前記操作片４８が第２基板ケース４１側に弾性変形し、該爪部４９が前記係合孔３３に臨んで操作片４８が弾性復帰することで該係合孔３３と爪部４９(係合フック４７)が係合するよう構成される。ここで、前記爪部４９(係合フック４７)の前後の幅寸法と前記係合孔３３の前後方向の開口幅寸法とは略同一に設定されており、該爪部４９と係合孔３３とが係合した際に、第２基板ケース４１の左側部がパチンコ機本体に対して近接および離間する方向に前後移動するのを規制するよう構成される。
【００２９】
更に、前記第２基板ケース４１の表面４１ｅ(すなわち第２カバー体４２)の左側部には、端部が上方を指向する略Ｌ字状の規制片５１が形成され、該第２基板ケース４１の表面４１ｅと規制片５１との間に、前記第１基板ケース２０の第１フランジ部２７が差込まれるようになっている(図７参照)。これにより、前記第２基板ケース４１の左側部がパチンコ機本体に対して近接および離間する方向に移動するのを規制している。また、前記第２基板ケース４１の表面４１ｅには、複数の突部５２,５２,５２が左方向に離間して形成されて、前記第１係合手段２８と第２係合手段４４とを係合した際に、該突部５２,５２,５２が前記第１フランジ部２７に当接するよう構成される(図８参照)。このとき、前記第１フランジ部２７の裏側から突出している前記第１固定部２７ａは、前記突部５２,５２,５２の間に臨むようになっている。また、前記第２基板ケース４１の裏面４１ｄ(すなわち第２ベース体４３)の上端部には、上方に向けて延出する第２フランジ部５０が第２基板ケース４１の左右方向の略全長に亘って形成されており、前記第１係合手段２８と第２係合手段４４とを係合して前記第１基板ケース２０の下面２６ａに第２基板ケース４１を取付けた際に、該第２フランジ部５０が第１基板ケース２０の裏面２０ａ(第１ベース体２６)に当接するようになっている。
【００３０】
〔実施例の作用〕
次に、実施例に係るパチンコ機の作用につき説明する。
【００３１】
先ず、前記第１基板ケース２０(払出制御装置１８)への第２基板ケース４１(インターフェイス基板４０)の取付方法について説明する。図９に示すように、前記第２基板ケース４１に形成した前記第１および第２突出片４５,４６の間に、前記第１基板ケース２０に形成した前記前後移動規制部３１を臨ませ、この状態で第２基板ケース４１の上面４１ｃを第１基板ケース２０の下面２６ａに当接するよう移動させる。そして、前記第２基板ケース４１に形成した係合フック４７の爪部４９が第１基板ケース２０に設けた前記左移動規制部３０の下端部に当接し(図１０参照)、更に第２基板ケース４１の上面４１ｃを第１基板ケース２０の下面２６ａに当接するよう移動させると、該係合フック４７の操作片４８が弾性変形し、爪部４９が左移動規制部３０に形成した係合孔３３に臨むと操作片４８が弾性復帰して爪部４９(係合フック４７)と係合孔３３とが係合する(図２参照)。このとき、前記第２基板ケース４１の第１突出片４５が前記下移動規制部３２に当接する。
【００３２】
ここで、前記第１基板ケース２０の第１係合手段２８と第２基板ケース４１の第２係合手段４４とを係合させた際に、該第１基板ケース２０における左右移動規制部２９,３０の間に第２基板ケース４１が臨むことで、該第２基板ケース４１が第１基板ケース２０の下面２６ａの長手方向(すなわち左右方向)へ移動するのは規制される。また、前記第２基板ケース４１の第１および第２突出片４５,４６の間に、前記第１基板ケース２０の前後移動規制部３１が位置することで、該第２基板ケース４１の右側部がパチンコ機本体に対して近接および離間する方向(すなわち前後方向)へ移動するのは規制される。更に、前記第１基板ケース２０の下移動規制部３２に前記第２基板ケース４１の第１突出片４５が当接すると共に、該第２基板ケース４１の上面４１ｃが第１基板ケース２０の下面２６ａに当接することで、当該第２基板ケース４１が第１基板ケース２０に近接および離間する方向へ移動するのを規制し得る。更にまた、前記第１基板ケース２０の係合孔３３と、前記第２基板ケース４１の係合フック４７の爪部４９とが係合することで、該第２基板ケース４１の左側部の前後および上下移動は規制されるから、第２基板ケース４１を第１基板ケース２０の下面２６ａに確実に取付けることができる。
【００３３】
そして、前記係合孔３３を、第１基板ケース２０における前記前後移動規制部３１および下移動規制部３２の形成側(右側面２６ｂ)とは反対側(左側面２６ｃ)に形成し、前記係合フック３７を、前記第２基板ケース４１における第１および第２突出片４５,４６の形成側(右側面４１ａ)とは反対側(左側面４１ｂ)に形成してある。このように、前記前後移動規制部３１、下移動規制部３２、第１および第２突出片４５,４６の夫々と、前記係合孔３３および係合フック４７の夫々とを離間して形成したことにより、該係合孔３３と係合フック４７を係合した際に、第２基板ケース４１を第１基板ケース２０に安定して取付け得る。更に、実施例では、前記第２基板ケース４１を第１基板ケース２０の下面２６ａに取付けた際に、該第２基板ケース４１(第２カバー体４２)に形成した規制片５１が、第１基板ケース２０の第１フランジ部２７を挟むよう構成したことで、前記係合孔３３と係合フック４７とを係合させただけの構造に較べて、より確実に第２基板ケース４１の左側部がパチンコ機本体に対して近接および離間する方向に移動するのを規制して、該第２基板ケース４１をガタツクことなく所定位置に保持し得る。
【００３４】
また、前記第２基板ケース４１を第１基板ケース２０の下面２６ａに取付けたことで、両基板ケース２０,４１を前後に重なり合うよう配置した場合に較べて、遊技機裏側への第２基板ケース４１の突出量は減少する。従って、遊技場において対向配置したパチンコ機１０に第２基板ケース４１が干渉するのを防止し得る。また、前記第１基板ケース２０と第２基板ケース４１とを前後に重なり合わないようにしたことで、該第２基板ケース４１を第１基板ケース２０に取付けた状態で第１基板ケース２０内を視認することができるから、メンテナンス作業等の作業性が向上する。更に、第１基板ケース２０の下面２６ａに第２基板ケース４１を取付けることで、前記機構セット盤１３の球タンク１４ａ等から落下したパチンコ球が第２基板ケース４１に衝突し難くなるため、該第２基板ケース４１やインターフェイス基板４０の損傷等を抑制し得る利点もある。
【００３５】
また、前記第１基板ケース２０の下面２６ａに前記第２基板ケース４１を取付けた際に、該第１基板ケース２０に形成した第１フランジ部２７が第２基板ケース４１の突部５２,５２,５２に当接するよう構成したから、前記第２基板ケース４１がパチンコ機本体から離間する方向へ移動するのを確実に規制することができる。なお、前記第１フランジ部２７は、前記第１基板ケース２０の第１カバー体２１に形成した第２固定部２４を組付ける第１固定部２７ａを形成する部材として従来から設けられている。すなわち、前記第２基板ケース４１の移動を規制するに際して、前記第１フランジ部２７を新たに別部材として設ける必要がないから、第１基板ケース２０(パチンコ機１０)の製造コストを抑制し得る利点がある。同様に、前記第２基板ケース４１に第２フランジ部５０を形成し、前記第１係合手段２８と第２係合手段４４とを係合した際に、該第２フランジ部５０が第１基板ケース２０の裏面２０ａ(第１ベース体２６)に当接するようにしたから、当該第２基板ケース４１がパチンコ機本体から離間する方向へ移動するのをより確実に規制し得る。
【００３６】
次に、前記第２基板ケース４１(インターフェイス基板４０)の第１基板ケース２０(払出制御装置１８)からの取外方法について説明する。前記第２基板ケース４１における係合フック４７の操作片４８を弾性変形させて、該係合フック４７の爪部４９と第１基板ケース２０の係合孔３３との係合を解除する。この状態で、前記第２基板ケース４１の左側部を、その上面４１ｃが前記第１基板ケース２０の下面２６ａから離間する方向(すなわち下方)に移動させ、該爪部４９を前記第１基板ケース２０の左移動規制部３０の下端部より下方に移動させることで、第２基板ケース４１が第１基板ケース２０から取外される。このように、前記第２基板ケース４１を取外すに際しては、前記係合フック４７を弾性変形させるだけでよいから、容易に作業を行なうことができる。すなわち、実施例に係るパチンコ機１０では、前記係合フック４７を弾性変形させて前記爪部４９と係合孔３３とを係脱するだけで、前記第２基板ケース４１を第１基板ケース２０に対して着脱することが可能である。
【００３７】
〔変更例〕
なお、遊技機の構成としては、実施例のものに限らず、種々の変更が可能である。例えば、実施例では、第１基板ケースの下面に第１係合手段を形成して、該第２基板ケースを第１基板ケースの下面に取付けるよう構成したが、第１基板ケースの左右の側面や上面に第１係合手段を形成して、対応する面に第２基板ケースを取付けるようにしてもよい。すなわち、前記第１基板ケースの側部に隣接して第２基板ケースが位置するよう構成することが可能である。また、第１基板ケースに払出制御基板を収容保持すると共に、第２基板ケースにインターフェイス基板を収容保持するようにしたが、遊技機に配置される任意の基板を各基板ケースに収容することができる。
【００３８】
また、実施例では、第１基板ケースおよび第２基板ケースの夫々に、該第２基板ケースが機本体から離間する方向へ移動するのを規制するよう第１および第２フランジ部を形成するようにしたが、該第１基板ケースまたは第２基板ケースの何れかに、第２基板ケースが機本体側へ移動するのを規制する第６規制部を備えるよう構成することも可能である。具体的には、図１１に示すように、前記第１ベース体２６(第１基板ケース２０)の機本体側の端縁から下方に延出するよう第３フランジ部(第６規制部)６０を形成する一方、第２基板ケース４１には前記第２フランジ部５０を形成しないよう構成する。これにより、前記第１係合手段２８と第２係合手段４４とを係合した際に、前記第３フランジ部６０が第２基板ケース４１の裏面４１ｄに当接して、該第２基板ケース４１が機本体側へ移動するのを規制し得る。なお、図１１において、実施例と同一の部材には同一の符号を付してある。
【００３９】
更に、第１基板ケースの第１係合手段としては、実施例のものに限らず、第１基板ケースの側面に第２基板ケースを挟むよう一対の第１規制部を形成し、第１規制部の一方に、他方の第１規制部側に突出するよう形成される第２規制部を形成すると共に、一方の第１規制部における第１基板ケースの側面から離間する端部に、他方の第１規制部側に突出する第３規制部を形成するようにすれば、前記係合孔は第１基板ケースの所要位置に形成することができる。同様に、前記第１係合手段と係脱自在に係合する第２係合手段としては、前記第２基板ケースの一側面に第２および第３規制部と係合可能な第４規制部を形成し、第２基板ケースにおける前記係合孔と係脱自在に係合し得る位置に係合フックを形成すればよい。なお、実施例では、遊技機としてパチンコ機を採用したが、アレンジボール機やスロットマシン機等であってもよく、所要の基板を保持した基板保持部を重ね合わせるようにしたものであれば、何れの遊技機も採用し得る。
【００４０】
〔付記〕
また、本発明の具体的構成としては、以下のような限定が可能である。
請求項１〜６の何れかに記載の遊技機に関し、前記第４規制部(45,46)は、前記第２基板ケース(41)の一側面(41a)から突出する一対の突出片(45,46)であって、該突出片(45,46)の間に前記第２規制部(31)が位置することで、前記機本体に対して近接および離間する方向への前記第２基板ケース(41)の移動を規制するよう構成する。
このように、前記第１基板ケースの第２規制部を一対の突出片で挟むよう構成することで、第２基板ケースが機本体に対して近接および離間する方向へ移動するのを規制し得るから、該第２基板ケースをより確実に所定位置に保持し得る。
【図面の簡単な説明】
【００４１】
【図１】本発明の実施例に係るパチンコ機を示す背面図である。
【図２】実施例に係る第１基板ケースの下面に第２基板ケースを取付けた状態を示す正面図である。
【図３】実施例に係る第１基板ケースを示す正面図である。
【図４】実施例に係る第１基板ケースを示す底面図である。
【図５】実施例に係る第２基板ケースを示す正面図である。
【図６】実施例に係る第２基板ケースを示す底面図である。
【図７】実施例に係る第２基板ケースを示す左側面図である。
【図８】実施例に係る第１基板ケースの下面に第２基板ケースを取付けた状態で、第２基板ケースを破断して示す左側面図である。
【図９】実施例に係る第２基板ケースを第１基板ケースの下面に取付ける状態を示す正面図であって、該第２基板ケースの第１および第２突出片の間に、第１基板ケースの前後移動規制部を臨ませた状態を示す。
【図１０】実施例に係る第２基板ケースを第１基板ケースの下面に取付ける状態を示す正面図であって、該第２基板ケースの係合フックの爪部が、第１基板ケースの左移動規制部の下端部に当接した状態を示す。
【図１１】変更例に係る第１基板ケースの下面に第２基板ケースを取付けた状態で、第２基板ケースを破断して示す左側面図である。
【符号の説明】
【００４２】
２０  第１基板ケース
２０ａ  裏面
２１  第１カバー体(カバー体)
２４  固定手段
２６  第１ベース体(ベース体)
２６ａ  下面(裏面と交差する側面)
２７  第１フランジ部(第５規制部)
２８  第１係合手段
２９  右移動規制部(一方の第１規制部)
３０  左移動規制部(他方の第１規制部)
３１  前後移動規制部(第２規制部)
３２  下移動規制部(第３規制部)
３３  係合孔
４１  第２基板ケース
４１ａ  右側面(第２基板ケースの一側面)
４１ｂ  左側面(一側面とは反対の側面)
４１ｃ  上面(第２基板ケースの他側面)
４４  第２係合手段
４５  第１突出片(第４規制部)
４６  第２突出部(第４規制部)
４７  係合フック
６０  第３フランジ部(第６規制部)
【図１】
2006043201.tif 000003
【図２】
2006043201.tif 000004
【図３】
2006043201.tif 000005
【図４】
2006043201.tif 000006
【図５】
2006043201.tif 000007
【図６】
2006043201.tif 000008
【図７】
2006043201.tif 000009
【図８】
2006043201.tif 000010
【図９】
2006043201.tif 000011
【図１０】
2006043201.tif 000012
【図１１】
2006043201.tif 000013